(57)【特許請求の範囲】
【請求項１】
端末インタフェースを介して、変復調を行うモデムに接続され、回線呼出の受信でデータ端末装置を起動するためのデータ端末装置の遠隔起動システムにおいて、
前記端末インタフェースからのデータ端末レディのＯＮ、ＯＦＦタイミングを検出するＥＲ−ＯＮ／ＯＦＦ検出部と、
前記ＥＲ−ＯＮ／ＯＦＦ検出部で検出された前記データ端末レディのＯＮ、ＯＦＦタイミングで呼出信号ＯＮ／ＯＦＦパターンを発生し、１対向接続されるデータ端末装置に、線路を介して、発生した前記呼出信号ＯＮ／ＯＦＦパターンを送信するための呼出信号ＯＮ／ＯＦＦパターン発生部と、
前記端末インタフェースからの送信データを変調するための経路に、前記呼出信号ＯＮ／ＯＦＦパターン発生部で発生した前記呼出信号ＯＮ／ＯＦＦパターンを挿入させるためのパターン挿入部と、
受信データから前記パターン挿入部で挿入されて送信された前記呼出信号ＯＮ／ＯＦＦパターンを検出する呼出信号ＯＮ／ＯＦＦパターン検出部と、
前記呼出信号ＯＮ／ＯＦＦパターン検出部で前記呼出信号ＯＮ／ＯＦＦパターンが検出されたとき、呼出信号を形成し、データセットレディ信号として、前記端末インタフェースを介して、前記データ端末装置に出力し前記回線呼出の受信に代えて前記データ端末装置を起動するための呼出信号調整部と、
受信したキャリア検出信号のうち、前記呼出信号ＯＮ／ＯＦＦパターン検出部で検出された呼出信号ＯＮ／ＯＦＦパターンのタイミングに対応する部分を除くように調整されたキャリア検出信号を、前記端末インタフェース部を介して、前記データ端末装置に出力するためのキャリア検出調整部と、
前記キャリア検出調整部からキャリア検出信号を入力し、前記キャリア検出信号のＯＮ／ＯＦＦタイミングを検出するＣＤ−ＯＮ／ＯＦＦ検出部と、
前記ＣＤ−ＯＮ／ＯＦＦ検出部により検出された前記キャリア検出信号のＯＮ／ＯＦＦタイミングで復調された受信データのみを、前記端末インタフェースを介して、前記データ端末装置に出力するための受信データ調整部とを備えることを特徴とするデータ端末装置の遠隔起動システム。
【請求項２】
前記呼出信号ＯＮ／ＯＦＦパターン発生部は、遠隔のデータ端末装置毎に固有の呼出信号ＯＮ／ＯＦＦパターンを発生することを特徴とする、請求項１に記載のデータ端末装置の遠隔起動システム。
【請求項３】
前記呼出信号ＯＮ／ＯＦＦパターンの送受信が１対向接続されるデータ端末装置間の帯域伝送方式に従って行われることを特徴とする、請求項１に記載のデータ端末装置の遠隔起動システム。
【請求項４】
前記呼出信号ＯＮ／ＯＦＦパターンの送受信が１対向接続されるデータ端末装置間のベースバンド伝送方式に従って行われることを特徴とする、請求項１に記載のデータ端末装置の遠隔起動システム。
【請求項５】
前記端末インタフェース部と前記ＥＲ−ＯＮ／ＯＦＦ検出部との間にＥＲ選択部が設けられ、前記ＥＲ選択部は前記端末インタフェース部からのデータ端末レディ信号ＥＲのＯＮ／ＯＦＦタイミングを検出する有無を選択することを特徴とする、請求項１に記載のデータ端末装置の遠隔起動システム。
【請求項６】
端末インタフェースを介して、変復調を行うモデムに接続され、回線呼出によるデータ端末装置の遠隔起動を利用する方法において、
送信側の前記データ端末装置のモデムで、前記端末インタフェースから入力するデータ端末レディのＯＮ、ＯＦＦタイミングを検出する工程と、
検出された前記データ端末レディのＯＮ、ＯＦＦタイミングで呼出信号ＯＮ／ＯＦＦパターンを発生し、１対向接続されるデータ端末装置に、線路を介して、発生した前記呼出信号ＯＮ／ＯＦＦパターンを送信する工程と、
前記端末インタフェースからの送信データを変調するための経路に、発生した前記呼出信号ＯＮ／ＯＦＦパターンを挿入させる工程と、
受信側の前記データ端末装置のモデムで、受信データから、挿入されて送信された前記呼出信号ＯＮ／ＯＦＦパターンを検出する工程と、
前記呼出信号ＯＮ／ＯＦＦパターンが検出されたとき、呼出信号を形成し、データセットレディ信号として、前記端末インタフェースを介して前記データ端末装置に出力し前記回線呼出の受信に代えて前記データ端末装置を起動する工程と、
受信したキャリア検出信号のうち、検出された前記呼出信号ＯＮ／ＯＦＦパターンのタイミングに対応する部分を除くように調整されたキャリア検出信号を、前記端末インタフェース部を介して、前記データ端末装置に出力する工程と、
前記キャリア検出信号を入力し、前記キャリア検出信号のＯＮ／ＯＦＦタイミングを検出する工程と、
検出されたキャリア信号のＯＮ／ＯＦＦタイミングで復調された受信データのみを、前記端末インタフェースを介して、前記データ端末装置に出力する工程とを備えることを特徴とする、回線呼出によるデータ端末装置の遠隔起動を利用する方法。
【発明の詳細な説明】
【０００１】
【産業上の利用分野】
本発明はデータ端末装置（ＤＴＥ）の遠隔起動システムに関する。特に、本発明は回線呼出によるデータ端末装置の遠隔起動を利用する方法に関する。
【０００２】
【従来の技術】
従来技術として、特開昭５８−０８１３７２号公報、特開昭６３−１６９１５８号公報、特開平０１−０７８０９３号公報、特開平０６−１６９３５５号公報に記載されているように、電話回線を介して、回線呼出でデータ端末装置を遠隔から起動する方法が周知である。
【０００３】
図５は一般的なデータ端末装置の接続状態の概略例を説明する図である。本図に示すように、一例として、交換機３００−１、３００−２が電話回線５００で接続され、交換機３００−１にはデータ端末装置２００が接続され、交換機３００−２にはデータ端末装置６００−１、６００−２、６００−３が接続されているとする。
【０００４】
データ端末装置２００、データ端末装置６００−１、６００−２、６００−３のそれぞれには、遠隔起動すべきデータ端末装置を選択し接続制御を行う網制御装置、送信側で直流から交流に変換し受信側で交流を直流に変換するモデムが設けられている。
さらに、データ端末装置２００、データ端末装置６００−１、６００−２、６００−３のそれぞれには遠隔起動システムが設けられ、遠隔起動システムは回線呼出により停止状態のデータ端末装置を自動的に立ち上げることが可能である。
【０００５】
例えば、データ端末装置２００は、データ端末装置６００−１に対して、交換機３００−１、電話回線５００、交換機３００−２を介して、回線呼出を行うことにより、データ端末装置６００−１を呼出して、データ端末装置６００−１を停止状態から立ち上げ、データ端末装置６００−１と送受信を行うことが可能であり、さらに、この逆も可能である。
【０００６】
さらに、データ端末装置６００−１は、同一の交換機３００−２に接続されているデータ端末装置６００−２に対して、交換機３００−２を介して、回線呼出を行うことにより、データ端末装置６００−２を停止状態から立ち上げ、データ端末装置６００−２と送受信を行うことが可能であり、さらに、この逆も可能である。
【０００７】
【発明が解決しようとする課題】
しかしながら、交換機３００−２に接続されている複数のデータ端末装置６００−１、６００−２、６００−３、交換機３００−２に接続されていない６００−４がＬＡＮ（Ｌｏｃａｌ  Ａｒｅａ  Ｎｅｔｗｏｒｋ）等で接続され、例えば、データ端末装置６００−１と６００−４とは交換機３００−２を介さずとも１対向の接続状態になり得る。
【０００８】
この場合、回線呼出を行うことができないので、従来の遠隔起動システムを使用することができないという問題がある。
さらに、交換機３００―２を介さずに、データ端末装置６００−１がデータ端末装置６００−２と送受信を行う必要がある場合には、電源をＯＮ状態にしてデータ端末装置６００−２を常に立ち上げておく必要があり、折角の遠隔起動システムが有効に活用されていないという問題があった。
【０００９】
このような場合に従来の回線呼出と同様に遠隔起動システムが活用されれば、交換機、電話回線を介しないので通信費用を低廉にすることが可能になり、同時に無駄な電力消費を削減することが可能になる。
したがって、本発明は上記問題点に鑑みて、交換機、電話回線を介さず回線呼出が無い場合にも、１対向接続されるデータ端末装置を遠隔起動することを可能にするデータ端末装置の遠隔起動システム及び電話回線を介在する遠隔起動を利用する方法を提供することを目的とする。
【００１０】
【課題を解決するための手段】
本発明は前記問題点を解決するために、端末インタフェースを介して、変復調を行うモデムに接続され、回線呼出の受信でデータ端末装置を起動するためのデータ端末装置の遠隔起動システムにおいて、前記端末インタフェースからのデータ端末レディのＯＮ、ＯＦＦタイミングを検出するＥＲ−ＯＮ／ＯＦＦ検出部と、前記ＥＲ−ＯＮ／ＯＦＦ検出部で検出された前記データ端末レディのＯＮ、ＯＦＦタイミングで呼出信号ＯＮ／ＯＦＦパターンを発生し、１対向接続されるデータ端末装置に、線路を介して、発生した前記呼出信号ＯＮ／ＯＦＦパターンを送信するための呼出信号ＯＮ／ＯＦＦパターン発生部と、前記端末インタフェースからの送信データを変調するための経路に、前記呼出信号ＯＮ／ＯＦＦパターン発生部で発生した前記呼出信号ＯＮ／ＯＦＦパターンを挿入させるためのパターン挿入部と、受信データから前記パターン挿入部で挿入されて送信された前記呼出信号ＯＮ／ＯＦＦパターンを検出する呼出信号ＯＮ／ＯＦＦパターン検出部と、前記呼出信号ＯＮ／ＯＦＦパターン検出部で前記呼出信号ＯＮ／ＯＦＦパターンが検出されたとき、呼出信号を形成し、データセットレディ信号として、前記端末インタフェースを介して、前記データ端末装置に出力し前記回線呼出の受信に代えて前記データ端末装置を起動するための呼出信号調整部と、受信したキャリア検出信号のうち、前記呼出信号ＯＮ／ＯＦＦパターン検出部で検出された呼出信号ＯＮ／ＯＦＦパターンのタイミングに対応する部分を除くように調整されたキャリア検出信号を、前記端末インタフェース部を介して、前記データ端末装置に出力するためのキャリア検出調整部と、前記キャリア検出調整部からキャリア検出信号を入力し、前記キャリア検出信号のＯＮ／ＯＦＦタイミングを検出するＣＤ−ＯＮ／ＯＦＦ検出部と、前記ＣＤ−ＯＮ／ＯＦＦ検出部により検出された前記キャリア検出信号のＯＮ／ＯＦＦタイミングで復調された受信データのみを、前記端末インタフェースを介して、前記データ端末装置に出力するための受信データ調整部とを備えることを特徴とするデータ端末装置の遠隔起動システムを提供する。
【００１１】
この手段により、回線を介して接続されるデータ端末装置のうち、回線を介さずに１対向接続されるデータ端末装置を遠隔起動することを可能にするので、交換機、電話回線を介する回線呼出が不要となり、通信費用が低廉にでき、同時に、常に、遠隔側は電源をＯＮ状態にする必要が無くなり、消費電力の削減が可能になる。
さらに、回線呼出による遠隔起動システムを利用することが可能になる。
【００１２】
さらに、前記呼出信号ＯＮ／ＯＦＦパターン発生部は、遠隔のデータ端末装置毎に固有の呼出信号ＯＮ／ＯＦＦパターンを発生する。
この手段により、１対向接続される任意のデータ端末装置を遠隔起動することが可能になる。
好ましくは、前記呼出信号ＯＮ／ＯＦＦパターンの送受信が１対向接続されるデータ端末装置間の帯域伝送方式に従って行われ、さらに好ましくは、前記呼出信号ＯＮ／ＯＦＦパターンの送受信が１対向接続されるデータ端末装置間のベースバンド伝送方式に従って行われる。
【００１３】
この手段により、伝送方式に依存しないので、本発明の適用範囲が広くなる。
【００１５】
さらに、端末インタフェース部を有効に活用して、受信データから不要な呼出信号ＯＮ／ＯＦＦパターンを削除して、データ端末装置に出力されないようにすることが可能になった。
さらに、前記端末インタフェース部と前記ＥＲ−ＯＮ／ＯＦＦ検出部との間にＥＲ選択部が設けられ、前記ＥＲ選択部は前記端末インタフェース部からのデータ端末レディ信号ＥＲのＯＮ／ＯＦＦタイミングを検出する有無を選択する。
【００１６】
この手段により、遠隔起動すべきデータ端末装置の電源を自動的にＯＮしない場合には、端末インタフェース部のデータ端末レディ信号の検出を設定しないようにして、呼出信号のＯＮパターン、ＯＦＦパターンの処理を削減でき、送信時間が短縮できる。
さらに、本発明は、端末インタフェースを介して、変復調を行うモデムに接続され、回線呼出によるデータ端末装置の遠隔起動を利用する方法において、送信側の前記データ端末装置のモデムで、前記端末インタフェースから入力するデータ端末レディのＯＮ、ＯＦＦを検出する工程と、検出された前記データ端末レディのＯＮ、ＯＦＦのタイミングで呼出信号ＯＮ／ＯＦＦパターンを発生し、１対向接続されるデータ端末装置に、線路を介して、発生した前記呼出信号ＯＮ／ＯＦＦパターンを送信する工程と、前記端末インタフェースからの送信データを変調するための経路に、発生した前記呼出信号ＯＮ／ＯＦＦパターンを挿入させる工程と、受信側の前記データ端末装置のモデムで、受信データから、挿入されて送信された前記呼出信号ＯＮ／ＯＦＦパターンを検出する工程と、前記呼出信号ＯＮ／ＯＦＦパターンが検出されたとき、呼出信号を形成し、データセットレディ信号として、前記端末インタフェースを介して前記データ端末装置に出力し前記回線呼出の受信に代えて前記データ端末装置を起動する工程と、受信したキャリア検出信号のうち、検出された前記呼出信号ＯＮ／ＯＦＦパターンのタイミングに対応する部分を除くように調整されたキャリア検出信号を、前記端末インタフェース部を介して、前記データ端末装置に出力する工程と、前記キャリア検出信号を入力し、前記キャリア信号のＯＮ／ＯＦＦタイミングを検出する工程と、検出されたキャリア信号のＯＮ／ＯＦＦタイミングで復調された受信データのみを、前記端末インタフェースを介して、前記データ端末装置に出力する工程とを備えることを特徴とする、回線呼出によるデータ端末装置の遠隔起動を利用する方法を提供する。
【００１７】
この手段により、回線を介して接続されるデータ端末装置のうち、回線を介さずに１対向接続されるデータ端末装置を遠隔起動することを可能にするので、交換機、電話回線を介する回線呼出が不要となり、通信費用が低廉にでき、同時に、常に、遠隔側は電源をＯＮ状態にする必要が無くなり、消費電力の削減が可能になる。
さらに、回線呼出による遠隔起動システムを利用することが可能になる。
【００１８】
さらに、端末インタフェース部を有効に活用して、受信データから不要な呼出信号ＯＮ／ＯＦＦパターンを削除して、データ端末装置に出力されないようにすることが可能になった。
【００１９】
【発明の実施の形態】
以下、本発明の実施の形態について図面を参照して説明する。
図１は本発明に係るデータ端末装置のモデムにおける遠隔起動システムの概略構成を示すブロック図である。
本図に示すように、モデム１００とデータ端末装置（ＤＴＥ）との間に端末インタフェース部１０８が介在し、端末インターフェース部１０８は、次のような基本動作を行う。
【００２０】
（１）送信側のデータ端末装置からモデム１００にデータを送るときに、「端末装置レディ（ＥＲ）」の信号を送る。
（２）端末装置レディの信号を受け取った送信側のモデム１００は準備ができているときには「データセットレディ（ＤＲ）」の信号を送信側のデータ端末装置に送り返す。
【００２１】
（３）送信側のデータ端末装置は「送信要求（ＲＳ）」信号をモデム１００に送り、これを受けた送信側のモデム１００は、交流に変換したキャリアを線路に送り出す。
（４）受信側のモデム１００では、線路からキャリアを受け取ると、データが送られてくることを、キャリア検出（ＣＤ）を受信側のデータ端末装置に知らせる。
【００２２】
（５）一方、送信側のモデム１００では、ある一定の時間をおいて、送信側の端末装置に「送信可（ＣＳ）」の信号を送る。
（６）これで、送信の準備が終わり、送信側のデータ端末装置は「送信データ（ＳＤ）」を送る。
（７）送信データが送信側のデータ端末装置から線路を通って送られれると、受信側のモデム１００は「受信データ（ＲＤ）」を受信側のデータ端末装置に送る。
【００２３】
次に、モデム１００の構成について説明を行う。
モデム１００には変調部１０１が設けられており、変調部１０１は、後述するパターン挿入部１０９を介して、内部送信データＳＤが交流に変換されたキャリアを線路に送る。
端末インタフェース部１０８にはＥＲ−ＯＮ検出部１１１が接続され、ＥＲ−ＯＮ検出部１１１は端末インタフェース部１０８からの「端末装置レディ（ＥＲ）」を入力し、「端末装置レディ（ＥＲ）」のＯＮタイミング（立ち上がり）を検出する。
【００２４】
同様に、端末インタフェース部１０８にはＥＲ−ＯＦＦ検出部１１３が接続され、ＥＲ−ＯＦＦ検出部１１３は端末インタフェース部１０８からの「端末装置レディ（ＥＲ）」を入力し、「端末装置レディ（ＥＲ）」のＯＦＦタイミング（立ち下がり）を検出する。
ＥＲ−ＯＮ検出部１１１の出力側には呼出（ＣＩ）信号ＯＮパターン発生部１１０が接続され、呼出（ＣＩ）信号ＯＮパターン発生部１１０は遠隔起動すべきデータ端末装置の呼出信号ＣＩをＯＮにするパターンを発生する。
【００２５】
同様に、ＥＲ−ＯＦＦ検出部１１３の出力側には呼出（ＣＩ）信号ＯＦＦパターン発生部１１２が接続され、呼出（ＣＩ）信号ＯＦＦパターン発生部１１２は遠隔起動すべきデータ端末装置の呼出信号ＣＩをＯＦＦにするパターンを発生する。
なお、呼出（ＣＩ）信号ＯＮパターン発生部１１０、呼出（ＣＩ）信号ＯＦＦパターン発生部１１２には、遠隔起動すべきデータ端末装置毎に、遠隔起動すべきデータ端末装置固有の呼出信号ＣＩのＯＮパターン、ＯＦＦパターンが設定される。これにより、１対向接続される任意のデータ端末装置を遠隔起動することが可能になる。
【００２６】
端末インタフェース部１０８と変調部１０１の間にパターン挿入部１０９が設けられ、パターン挿入部１０９は、端末インタフェース部１０８から変調部１０１への送信データＳＤの経路に、呼出（ＣＩ）信号ＯＮパターン発生部１１０からのＯＮパターンと呼出（ＣＩ）信号ＯＦＦパターン発生部１１２からのＯＦＦパターンとを挿入して変調部１０１に出力する。
【００２７】
次に、モデム１００には復調部１０２が設けられており、復調部１０２は、線路から交流信号であるキャリアを入力し直流に変換し、内部受信データＲＤを出力し、後述する受信データ調整部１０７を介して、端末インタフェース部１０８に接続される。
復調部１０２の出力側に呼出（ＣＩ）信号ＯＮパターン検出部１１４、呼出（ＣＩ）信号ＯＦＦパターン検出部１１６が接続される。
【００２８】
呼出（ＣＩ）信号ＯＮパターン検出部１１４は、復調部１０２から出力された内部受信データを監視し、呼出（ＣＩ）信号ＯＮパターン発生部１１０からのＯＮパターンを検出したとき、被呼表示信号ＣＩ又は呼出信号ＣＩをＯＮにするように指示する信号を出力する。
同様に、呼出（ＣＩ）信号ＯＦＦパターン検出部１１６は、復調部１０２から出力された内部受信データを監視し、呼出（ＣＩ）信号ＯＦＦパターン発生部１１２からのＯＦＦパターンを検出したとき、被呼表示信号ＣＩ又は呼出信号ＣＩをＯＦＦにするように指示する信号を出力する。
【００２９】
呼出（ＣＩ）信号ＯＮパターン検出部１１４、呼出（ＣＩ）信号ＯＦＦパターン検出部１１６の出力側にはＣＩ信号調整部１１５が接続され、ＣＩ信号調整部１１５は、呼出（ＣＩ）信号ＯＮパターン検出部１１４から被呼表示信号ＣＩ又は呼出信号ＣＩのＯＮ指示信号を入力し、呼出（ＣＩ）信号ＯＦＦパターン検出部１１６から被呼表示信号ＣＩ又は呼出信号ＣＩのＯＦＦ指示信号を入力し、被呼表示信号ＣＩ又は呼出信号ＣＩを形成し、例えば、「データセットレディ（ＤＲ）」の信号として、端末インタフェース部１０８を経由して、データ端末装置に出力する。
【００３０】
データ端末装置では、「データセットレディ（ＤＲ）」の信号として、被呼表示信号ＣＩ又は呼出信号ＣＩを入力すると、この入力により電源をＯＮにし、データ端末装置を立ち上げる。
さらに、モデム１００にはキャリア検出部１０３が設けられており、キャリア検出部１０３は線路から交流信号であるキャリアを入力したときにキャリア検出信号ＣＤを出力し、後述するキャリア検出調整部１０４を介して、端末インタフェース部１０８に接続される。
【００３１】
キャリア検出部１０３に接続されるキャリア検出調整部１０４は、呼出（ＣＩ）信号ＯＮパターン検出部１１４からＯＮパターンの検出信号を入力したときにキャリア検出信号ＣＤをＯＮにするように指示し、呼出（ＣＩ）信号ＯＦＦパターン検出部１１６からＯＦＦパターンの検出信号を入力したときにキャリア検出信号ＣＤをＯＦＦにするように指示する。
【００３２】
キャリア検出調整部１０４の出力側にはＣＤ−ＯＮ検出部１０５、ＣＤ−ＯＦＦ検出部１０６が接続され、ＣＤ−ＯＮ検出部１０５は、キャリア検出調整部１０４からキャリア検出信号ＣＤ信号のＯＮタイミングを検出すると、復調部１０２より変換した受信データＲＤを出力するように受信データ調整部１０７に指示し、ＣＤ−ＯＦＦ検出部１０６は、キャリア検出調整部１０４からキャリア検出信号ＣＤ信号のＯＦＦタイミングを検出すると、受信データＲＤを２進「１」信号（Ｚパターン）にするように受信データ調整部１０７に指示する。
【００３３】
図２は図１におけるデータ端末装置のモデムにおける遠隔起動システムの一連の送信側動作例を示すタイミングチャートである。
本図（ａ）に示すように、送信側のデータ端末装置のモデム１００では、ＥＲ−ＯＮ検出部１１１でデータ端末装置（ＤＴＥ）からのデータ端末レディ信号ＥＲがＯＦＦからＯＮになるのが検出されると、ＥＲ−ＯＮ検出部１１１から呼出（ＣＩ）信号ＯＮパターン発生部１１０に、本図（ｃ）に示すような被呼表示信号ＣＩ又は呼出信号ＣＩのＯＮパターンを発生すべきとの指示が行われる。
【００３４】
ＥＲ−ＯＮ検出部１１１の指示により発生した呼出信号ＣＩのＯＮパターンが呼出（ＣＩ）信号ＯＮパターン発生部１１０からパターン挿入部１０９に出力される。
本図（ａ）に示すように、ＥＲ−ＯＦＦ検出部１１３でデータ端末装置からのデータ端末レディ信号がＯＮからＯＦＦになるのが検出されると、ＥＲ−ＯＦＦ検出部１１３から呼出（ＣＩ）信号ＯＦＦパターン発生部１１２に、本図（ｃ）に示すような呼出信号ＣＩのＯＦＦパターンを発生すべきとの指示が行われる。
【００３５】
ＥＲ−ＯＦＦ検出部１１３の指示により発生した呼出信号ＣＩのＯＦＦパターンが呼出（ＣＩ）信号ＯＦＦパターン発生部１１２からパターン挿入部１０９に出力される。
本図（ｂ）に示すように、データ端末装置の遠隔起動時には、端末インタフェース部１０８からパターン挿入部１０９を介して変調部１０１に送信データＳＤが出力されず、パターン挿入部１０９ではデータ端末レディＥＲのＯＮ、ＯＦＦタイミングで呼出（ＣＩ）信号ＯＮパターン発生部１１０のパターンと呼出（ＣＩ）信号ＯＦＦパターン発生部１１２のパターンとのみが挿入されて、本図（ｃ）に示すように、内部送信データＳＤとして、パターン挿入部１０９から変調部１０１に出力される。
【００３６】
パターン挿入部１０９により作成された内部送信データＳＤが変調部１０１により交流信号であるキャリアに変換され、線路に送信される。
図３は図１におけるデータ端末装置のモデムにおける遠隔起動システムの一連の受信側動作例を示すタイミングチャートである。
受信側のデータ端末装置のモデム１００では、送信側のモデム１００からの内部送信データＳＤの交流信号であるキャリアが、線路を経由して、復調部１０２、キャリア検出部１０３で受信される。
【００３７】
本図（ａ）に示すように、受信されたキャリアが復調部１０２により直流の内部受信データＲＤに変換される。
本図（ｃ）に示すように、復調部１０２から出力された受信データに呼出信号ＣＩのＯＮパターンが呼出（ＣＩ）信号ＯＮパターン検出部１１４により検出されたとき、ＣＩ信号調整部１１５へ被呼表示信号ＣＩ又は呼出信号ＣＩをＯＮにする指示が行われ、同時にキャリア検出調整部１０４にキャリア検出信号ＣＤをＯＦＦに保持する指示が行われる。
【００３８】
さらに、復調部１０２から出力された受信データに呼出信号ＣＩのＯＦＦパターンが呼出（ＣＩ）信号ＯＮパターン検出部１１６により検出されたとき、ＣＩ信号調整部１１５へ被呼表示信号ＣＩ又は呼出信号ＣＩをＯＦＦにする指示が行われ、同時にキャリア検出調整部１０４にキャリア検出信号ＣＤをＯＦＦに保持する指示が行われる。
【００３９】
呼出（ＣＩ）信号ＯＮパターン検出部１１４、呼出（ＣＩ）信号ＯＦＦパターン検出部１１６からの指示により、ＣＩ信号調整部１１５から端末インタフェース部１０８に被呼表示信号ＣＩ又は呼出信号ＣＩのＯＮ、ＯＦＦが出力される。本図（ｄ）に示すように、線路からのキャリアがキャリア検出部１０３により検出されると、キャリア検出信号ＣＤのＯＮ情報がキャリア検出調整部１０４に出力される。
【００４０】
また、線路からのキャリアがキャリア検出部１０３により検出されなくなると、キャリア検出信号ＣＤのＯＦＦ情報がキャリア検出調整部１０４に出力される。
本図（ｅ）に示すように、キャリア検出調整部１０４では、キャリア検出部１０３からのＯＮ情報と呼出（ＣＩ）信号ＯＮパターン検出部１１４からのＯＮ情報との双方によりキャリア検出信号ＣＤのＯＦＦが保持される。
【００４１】
さらに、キャリア検出調整部１０４では、キャリア検出部１０３からのＯＮ情報と呼出（ＣＩ）信号ＯＮパターン検出部１１４からの未検出情報と呼出（ＣＩ）信号ＯＦＦパターン検出部１１６からの未検出情報とによりキャリア検出信号ＣＤのＯＮが保持される。
さらに、キャリア検出調整部１０４では、キャリア検出部１０３からのＯＮ情報と呼出（ＣＩ）信号ＯＦＦパターン検出部１１６からのＯＦＦ情報とによりキャリア検出信号ＣＤのＯＦＦが保持される。
【００４２】
さらに、キャリア検出調整部１０４では、キャリア検出部１０３からのＯＦＦ情報と呼出（ＣＩ）信号ＯＮパターン検出部１１４からの未検出情報と呼出（ＣＩ）信号ＯＦＦパターン検出部１１６の未検出情報とによりキャリア検出信号ＣＤのＯＦＦが保持される。
キャリア検出調整部１０４から端末インタフェース部１０８にキャリア信号ＣＤのＯＮ、ＯＦＦが出力される。
【００４３】
本図（ｂ）に示すように、キャリア検出調整部１０４からのキャリア検出信号ＣＤのＯＮがＣＤ−ＯＦＦ検出部１０６により検出されると、復調部１０２で変換した受信データＲＤが受信データ調整部１０７から出力される。
さらに、キャリア検出調整部１０４からキャリア検出信号ＣＤのＯＦＦがＣＤ−ＯＦＦ検出部１０６により検出されると、復調部１０２で変換した受信データＲＤが２進「１」信号（Ｚパターン）にされ受信データ調整部１０７から出力される。
【００４４】
このようにして、呼出信号ＣＩのＯＮパターン、ＯＦＦパターンが受信側のデータ端末装置に受信データＳＤとして送信されるのを防止する。
したがって、本発明によれば、１対向の接続状態のデータ端末装置において、回線呼出が無い場合でも、データ端末装置からのデータ端末レディ信号ＥＲのＯＮ、ＯＦＦを検出し、呼出信号ＣＩのＯＮパターン及びＯＦＦパターンを遠隔起動すべき端末装置のモデムに送り、被呼表示信号ＣＩ又は呼出信号ＣＩをＯＮ、ＯＦＦにするようにしたので、遠隔起動すべきデータ端末装置の電源を自動的にＯＮ、ＯＦＦすることが可能になり、さらに、既に設置されている遠隔起動システムを利用して、遠隔起動すべきデータ端末装置の自動電源をＯＮにすることが可能になる。
【００４５】
図４は図１における変形例の概略構成を示すブロック図である。本図に示すように、図１と比較して、端末インタフェース部１０８と、ＥＲ−ＯＮ検出部１１１、ＥＲ−ＯＦＦ検出部１１３との間にＥＲ選択部２２１が設けられ、ＥＲ選択部２２１は、端末インタフェース部１０８からのデータ端末レディ信号ＥＲのＯＮ、ＯＦＦを検出する有無を選択するために使用される。
【００４６】
遠隔起動すべきデータ端末装置の電源を自動的にＯＮしない場合には、ＥＲ選択部２２１により、端末インタフェース部１０８のデータ端末レディ信号ＥＲの検出を設定しないようにして、呼出信号ＣＩのＯＮパターン、ＯＦＦパターンの処理を削減でき、送信時間が短縮できる。
以上の説明では、１対向接続されるデータ端末装置間の伝送方式を帯域伝送方式としたが、ベースバンド伝送方式であってもよく、伝送方式に依存しないので、本発明の適用範囲を広く確保することが可能になる。
【００４７】
【発明の効果】
以上説明したように、本発明によれば、送信側のデータ端末装置のモデムで、端末インタフェースから入力するデータ端末レディのＯＮ、ＯＦＦを検出し、検出されたデータ端末レディのＯＮ、ＯＦＦのタイミングで呼出信号ＯＮ／ＯＦＦパターンを発生し、１対向接続されるデータ端末装置に、線路を介して、発生した呼出信号ＯＮ／ＯＦＦパターンを送信し、端末インタフェースからの送信データを変調するための経路に、発生した呼出信号ＯＮ／ＯＦＦパターンを挿入させ、受信側のデータ端末装置のモデムで、受信データから、挿入されて送信された呼出信号ＯＮ／ＯＦＦパターンを検出し、呼出信号ＯＮ／ＯＦＦパターンが検出されたとき、呼出信号を形成し、データセットレディ信号として、端末インタフェースを介してデータ端末装置に出力し回線呼出の受信に代えてデータ端末装置を起動し、受信したキャリア検出信号のうち、検出された呼出信号ＯＮ／ＯＦＦパターンのタイミングに対応する部分を除くように調整されたキャリア検出信号を、端末インタフェース部を介して、データ端末装置に出力し、キャリア検出信号を入力し、キャリア検出信号のＯＮ／ＯＦＦのタイミングを検出し、検出されたキャリア検出信号のＯＮ／ＯＦＦタイミングで復調された受信データのみを、端末インタフェースを介して、データ端末装置に出力するようにしたので、１対向接続されるデータ端末装置を遠隔起動することを可能にし、交換機、電話回線を介する回線呼出が不要となり、通信費用が低廉にでき、同時に、常に、遠隔側は電源をＯＮ状態にする必要が無くなり、消費電力の削減が可能になる。
【００４８】
さらに、回線呼出による遠隔起動システムを利用することが可能になる。
さらに、端末インタフェース部を有効に活用して、受信データから不要な呼出信号ＯＮ／ＯＦＦパターンを削除して、データ端末装置に出力されないようにすることが可能になった。
さらに、ＥＲ選択部は端末インタフェース部からのデータ端末レディ信号ＥＲのＯＮ／ＯＦＦタイミングを検出する有無を選択するようにしたので、遠隔起動すべきデータ端末装置の電源を自動的にＯＮしない場合には、端末インタフェース部のデータ端末レディ信号の検出を設定しないようにして、呼出信号のＯＮパターン、ＯＦＦパターンの処理を削減でき、送信時間が短縮できるようになった。
【図面の簡単な説明】
【図１】本発明に係るデータ端末装置のモデムにおける遠隔起動システムの概略構成を示すブロック図である。
【図２】図１におけるデータ端末装置のモデムにおける遠隔起動システムの一連の送信側動作例を示すタイミングチャートである。
【図３】図１におけるデータ端末装置のモデムにおける遠隔起動システムの一連の受信側動作例を示すタイミングチャートである。
【図４】一般的なデータ端末装置の接続状態の概略例を説明する図である。
【図５】一般的なデータ端末装置の接続状態の概略例を説明する図である。
【符号の説明】
１００…モデム
１０１…変調部
１０２…復調部
１０３…キャリア検出部
１０４…キャリア検出調整部
１０５…ＣＤ−ＯＮ検出部
１０６…ＣＤ−ＯＦＦ検出部
１０７…受信データ調整部
１０８…端末インタフェース部
１０９…パターン挿入部
１１０…呼出（ＣＩ）信号ＯＮパターン発生部
１１１…ＥＲ−ＯＮ検出部
１１２…呼出（ＣＩ）信号ＯＦＦパターン発生部
１１３…ＥＲ−ＯＦＦ検出部
１１４…呼出（ＣＩ）信号ＯＮパターン検出部
１１５…ＣＩ信号調整部
１１６…呼出（ＣＩ）信号ＯＦＦパターン検出部
２２１…ＥＲ選択部
【図１】
0003704507.tif 000002
【図２】
0003704507.tif 000003
【図３】
0003704507.tif 000004
【図４】
0003704507.tif 000005
【図５】
0003704507.tif 000006